(57)【特許請求の範囲】
【請求項１】
連続画像を撮影する撮像部と、
画像データを圧縮する圧縮部と、
表示部に第１記録部及び第２記録部に記録された画像を同時に表示する再生部と、
撮影時に前記第２記録部に圧縮処理された前記連続画像を記録すると同時に、前記連続画像を前記第２記録部への圧縮よりも低圧縮処理にて前記第１記録部に記録し、撮影後に当該第１記録部に記録された低圧縮処理の連続画像の中で選択された静止画像を前記第２記録部に転送し、当該転送後当該低圧縮処理の連続画像を前記第１記録部から消去する記録制御部と、
再生時には、前記第２記録部に記録された前記静止画を前記第１記録部に転送してから、前記第１記録部に記録された静止画像と、第２記録部に記録された連続画像を再生して、前記表示部に同時に表示を行わせるよう前記再生部を制御する制御部と、
を備えることを特徴とするカメラ。
【請求項２】
時間差のある画像データから相関演算によって高精細化画像を作成する高精細化部を備え、
前記再生部は、前記高精細化部によって高精細化された画像を表示することを特徴とする請求項１に記載のカメラ。
【発明の詳細な説明】
【技術分野】
【０００１】
この発明は、カメラの記録制御に関して、特に静止画撮影と連続撮影が同時にできる機能を備えるカメラの記録制御技術に関する。
【背景技術】
【０００２】
動画カメラ（ムービー）の記録媒体は、従来その容量からテープに限られたいたが、近年は、ＤＶＤ（Digital Versatile Disk）だけでなくハードディスクやフラッシュメモリも、利用されるようになっている。特にデジタルメモリは、生産技術の進歩によって、大容量のメモリが安価で入手できるような状況にある。そこで、固体メモリを主に利用するデジタルカメラでも、静止画だけではなく動画も記録できるものも商品化されている。とはいえ、デジタルカメラのメモリ量は、例えハードディスクを搭載しても、動画は長時間記録するほど大きくはなく、ＭＰＥＧで圧縮しても長時間記録は容易でない。
【０００３】
そこで、限られたメモリ量のデジタルカメラでは、以下のようにメモリを効率よく使って動画を記録することが提案されている。例えば、動画撮影中に所定の指示があった場合に圧縮率を下げて画像を記録するようにして、重要でない部分は高い圧縮率で記録することで、長時間記録できるようにするカメラが提案されている（特許文献１）。また、記録された画像の所定の部分を切出して高圧縮率で再記録することでデータ量を低減するカメラも提案されている（特許文献２）
【特許文献１】特開２０００−３３３１３０号
【特許文献２】特開２００２−１０２０９号
【発明の開示】
【発明が解決しようとする課題】
【０００４】
特許文献１のようなカメラでは、撮影中に圧縮率を低圧縮にする指示を行う必要があるが、その指示に気をとられ撮影に集中しずらいという課題がある。また、高圧縮率で記録した画像については、撮影後に低圧縮率の画像に変更することはできないという課題もある。また、特許文献２のようなカメラでは、データ低減領域の指定に手間取るという課題もある。画像の領域の一部を高圧縮率に変換するためには、例えば主要被写体以外の背景を高圧縮率領域として指定しなければならない。デジタルカメラでは、連続撮影や動画撮影中であっても、高品位の静止画像が簡単に撮影できることが必要な条件である。
上記課題に鑑み、高品位な静止画と長時間の動画像の両方を得ることができるカメラを提供することを本発明の目的とする。
【課題を解決するための手段】
【０００５】
上記目的を達成するために、本発明によるカメラは、連続画像を撮影する撮像部と、画像データを圧縮する圧縮部と、表示部に第１記録部及び第２記録部に記録された画像を同時に表示する再生部と、撮影時に前記第２記録部に圧縮処理された前記連続画像を記録すると同時に、前記連続画像を前記第２記録部への圧縮よりも低圧縮処理にて前記第１記録部に記録し、撮影後に当該第１記録部に記録された低圧縮処理の連続画像の中で選択された静止画像を前記第２記録部に転送し、当該転送後当該低圧縮処理の連続画像を前記第１記録部から消去する記録制御部と、再生時には、前記第２記録部に記録された前記静止画を前記第１記録部に転送してから、前記第１記録部に記録された静止画像と、第２記録部に記録された連続画像を再生して、前記表示部に同時に表示を行わせるよう前記再生部を制御する制御部と、を備えることを特徴とする。
【発明の効果】
【０００９】
この発明によれば、高品位な静止画と長時間の動画像の両方を得ることのできるカメラを提供することができる。
【発明を実施するための最良の形態】
【００１０】
以下本発明を実施するための最良の形態を図面を参照して説明する。
【実施例１】
【００１１】
図１から図５を用いて、実施例1についてを説明する。図１は、本発明が適用されたデジタルカメラの全体ブロック図である。カメラには、ＭＰＵ１と、ＭＰＵ１に接続される操作部１６（スイッチ１６ａ、１６ｂ、１６ｃ）および第１記録部７が設けられる。第１記録部７は、不揮発性でかつ記録可能なメモリで例えばフラッシュＲＯＭからなる。第１記録部７には、カメラ処理を行う制御用のプログラムが格納されるとともに、後述するように撮影中の画像データも一時的格納される。ＭＰＵ１は、第１記録部７に記憶されたプログラムに従って、撮影や再生等カメラの全体の制御を司る制御部である。ＭＰＵ１の中の記録制御部１ａは、プログラムに従って撮影時に動作するＭＰＵ１の１つの機能で、画像データの記録を制御する。操作部１６の一例として、スイッチ１６ａ、１６ｂ、１６ｃは、レリース、モード切替指示、電源のＯＮ／ＯＦＦ等の撮影者の指示を、ＭＰＵ１に通知する。
【００１２】
カメラには、撮像部１９、信号処理部５、ＲＡＭ６や第２記録部９が設けられる。撮像部１９は、撮影レンズ２、撮像素子３、アナログフロントエンド４から構成される。撮影レンズ２から入射した被写体２０の像が、ＣＣＤやＣＭＯＳからなる撮像素子３に結像し電気信号に変換される。アナログフロントエンド４は、撮像素子３からの電気信号をＡＤ変換してデジタル画像データとして出力する。信号処理部５は、画像データに対して色補正や信号圧縮などの処理を行うものである。ＲＡＭ６は、種々の演算データの一時的な格納や圧縮伸張時の画像データのワークエリアとして使用される。
【００１３】
信号処理部５内には、補助ブロック５ａの他に、他圧縮部５ｂ、伸張部５ｃ、切換え部５ｄ等が設けられる。補助ブロック５ａは、画像処理時に補正のかけ方を変更して、画像の特徴を判定したりして特定の信号を付加するものである。さらに圧縮部５ｂには、画像データを第１記録部７や第２記録部９に記録するための例えばＪＰＥＧ圧縮部やＭＰＥＧ圧縮部、また音声圧縮等の音声圧縮部が設けられる。伸張部５ｃは、圧縮された画像データをもとに戻す処理を行う部である。切換え部５ｄは、圧縮部５ｂの圧縮率の切換として、ＪＰＥＧ圧縮部の圧縮率の切換えや、ＪＰＥＧ圧縮部とＭＰＥＧ圧縮部の切換え等を行う。
【００１４】
信号処理部５で処理された画像データが撮影画像として第１記録部７や第２記録部９に記録される。第２記録部９は、画像データの保存用メモリで、例えば、フラッシュメモリやハードディスクで構成される。第２記録部９には、送信用メモリ９ａの領域も設けられる。
【００１５】
また、カメラには、音声記録用として、マイク１２、スピーカ１３が設けられる。上記の圧縮部５ｂの音声圧縮部で圧縮処理がされて、第１記録部７や第２記録部９に記録される。記録された音声は、伸張処理されてスピーカ１３から出力される。
【００１６】
さらに、カメラには画像表示用の表示部８、プリント信号出力部１０、無線送信部１１、時計部１４及び位置検出部１５が設けられる。撮影時には、画像確認用として、表示部８に撮像素子３から出力される画像が逐次再生して表示される。再生時には、第１記録部７や第２記録部９から記録された圧縮画像が読み出され、伸張部５ｃで伸張されて表示部８に表示される。
【００１７】
プリント信号出力部１０は、接続されるプリンタに対して、撮影した画像データを出力させるインターフェース部である。無線送信部１１は、プリンタやＰＣ（Personal Computer）に無線で画像データを送信するインターフェース部である。時計部１４は、撮影日時の記録用や露出時間や動画の撮影時間を記録したり、所定のタイミング間隔を測定するときに用いられる。位置検出部１５は、ＧＰＳセンサーで構成され、撮影した位置を検出して位置データをＭＰＵ１に通知する。検出された撮影位置が画像データに付帯して記録される。時計部１４と位置検出部１５は、ＭＰＵ１に接続される。
【００１８】
図２は、画像記録を詳細に説明するための機能ブロック図である。図２は、図１の全体ブロック図から本発明の特徴たる画像記録に関する機能部を抽出したものである。図１と同一の構成部位は同じ符号で示し、その説明は省略する。信号処理部５内部には、前述したように、圧縮部５ｂ、伸張部５ｃ、切換え部５ｄが設けられる。また、第２記録部９では、画像データを記録するファイルは、第１ファイル９ｂと第２ファイル９ｃとして区別して記録される。第１ファイル９ｂは、撮影画像が高画質の画像、代表的には静止画として保存されるファイルである。第２ファイル９ｃは、撮影画像が低画質の画像、代表的には動画として保存されるファイルである。
【００１９】
図２のブロック図の動作を説明する。撮影時には、撮像部１９で被写体像２０が撮影され、撮像部１９から画像データが連続して出力される。この画像データは、切換え部５ｄにより第１の圧縮率に設定された圧縮部５ｂで圧縮され、第１記録部７に記録される。ここで第１の圧縮率は、それほど高くない圧縮率である。これにより１回の撮影で、高品位の画像が複数枚  第１記録部７に記録される。しかし、このままでは第１記録部７が満杯になって（斜線部がデータ量を示す）、次の撮影が行えなくなくなる。そこで、撮影後には、図２（Ｂ）で示すように、第１記録部７の画像データを第２記録部９に転送する。ただし、このうち高品質で残したいと指示された画像データについては、そのまま転送する。一方、それ以外の画像データはまず伸張部５ｃで一旦伸張してから、切換え部５ｄで第２の圧縮率に設定された圧縮部５ｂで再圧縮して、第２記録部９に記録する。第２の圧縮率は第１の圧縮率より高い圧縮率である。
【００２０】
図３は、第１記録部７から第２記録部９へ転送される画像データの流れを示す図である。図２（Ｂ）の動作をさらに詳しく説明するための図である。図３（Ａ）は、指定された画像データを第２記録部９へ転送する流れを示す図である。図３（Ｂ）は、図３（Ａ）の処理後に、画像データ全体を第２記録部９に転送する流れである。この図では、第１記録部７と第２記録部９のメモリ量を模式的に示している。今回撮影した全画像のデータ量をシングルハッチングで示し、その中で指定された画像を指定画像ｍとし、指定画像ｍのデータ量をダブルハッチングで示す。
【００２１】
図３（Ａ）で示すように、撮影後に撮影者により指定画像が指定されると、第１記録部７の中の指定画像ｍの画像データのみがコピーされて第２記録部９に転送される。転送に際しては、圧縮部５ｂや伸張部５ｃを通さないで、そのまま第２記録部９に転送されて、第１ファイル９ｂとして記録される。なお、この段階では、指定画像ｍの画像データは、第１記録部７と第２記録部９の両方に存在している。
【００２２】
そして、図３（Ｂ）に進む。第１記録部７の全画像データは、第１記録部７から第２記録部９に転送されるが、この際には、伸張部５ｃで一旦伸張され、再度圧縮部５ｂで圧縮される。そしてこのときの圧縮部５ｂの圧縮率は、切換え部５ｄによって、第２の圧縮率に設定される。第２の圧縮率は、第１記録部７に記録したときよりも大きな圧縮率である。そこで、第２記録部９に転送記録されるデータ量は、第１記録部７のデータ量よりも小さくなる。そして、転送された画像データは、第２記録部９で第２ファイル９ｃとして記録される。なお転送後は、第１記録部７は転送した全画像は消去される。
【００２３】
図４は、上記図２，３で説明した画像データの転送が実行される撮影時の処理手順を示すフローチャートである。なおこの処理は、主に記録制御部１ａの制御により実行される。カメラは動画撮影モードまたは連写モードに設定されているとする。撮影者により動画の撮影及び録画の指示がレリース押下によりされる。レリース指示を検知して撮影を実行し、撮像部１９で撮影された連続の画像データを第1記録部７に低圧縮率（第１の圧縮率）で記録させる（ステップＳ１）。撮影者による終了指示があるまで撮影が続行される（ステップＳ２）。終了指示があったと判断すると（ステップＳ２Ｙ）、撮影の終了動作をするとともに、第1記録部７に記録された撮影画像を表示部８に表示させる（ステップＳ３）。
【００２４】
図５は、表示部８に表示される画像の例である。図５（Ａ）は、撮影された連続画像を撮影の順番に並べて示したものである。Ｐ１が撮影最初の画像で、Ｐ２、Ｐ３がその次に順に撮影された画像を示す。撮影に費やした時間をｔ０とし、全撮影枚数を９コマとし、一定間隔で撮影されたとする。各撮影時間は、最初の画像Ｐ１ではｔ＝０、Ｐ２ではｔ＝（１／９）×ｔ０、Ｐ３ではｔ＝（２／９）×ｔ０  となる。
【００２５】
図５（Ｂ）は、ステップＳ３で表示部８に表示される画面である。撮影画像から静止画像を選択するための画面である。上記Ｐ１、Ｐ２等の画像を縮小して、表示部８に撮影の順番に表示させる。カメラ背面の表示部８の横には、操作部１６に含まれるＸＹ操作キー１６−１、選択ボタン１６−２が設けられている。撮影者は、この画面で、静止画像として保存したい画像を選択する。選択された画像には、画像を囲む枠である選択マークＱが付される。撮影者は、ＸＹ操作キー１６−１で選択マークＱを移動させて特定の画像を選択する。そして、選択ボタン１６−２を用いて確定する。
【００２６】
図４に戻る。上記の画像選択がされたかを判断して（ステップＳ４Ｙ）、選択された選択画像を第１記録部７からそのまま第２記録部９に転送して、第１ファイル９ｂとして記録する（ステップＳ５）。
そして、選択画像がない場合および選択画像の転送後は、ステップＳ６に進む。ステップＳ６では、、第１記録部７に記録されている連続画像データの全てを伸張部５ｃで伸張してから、高い圧縮率（第２の圧縮率）で圧縮部５ｂで再度圧縮して、第２記録部９に記録する。この連続画像データを第２記録部９で第２ファイル９ｃとして記録する。第２記録部９への記録後に、転送された第１記録部７の連続画像データを消去する。
【００２７】
以上のような処理により、第２記録部９には、高画質画像で短時間の画像である第１ファイルと、長時間の録画を行い動画として鑑賞できる画質レベルの第２ファイルが得られる。
【００２８】
図５（Ｃ）は、第１ファイルと第２ファイルの画像が同時に再生された画面を示す。表示部８には、大きなサイズで第１ファイルとして記録された画像８ａを表示し、小さなサイズで第２ファイルとして記録された画像８ｂを表示させる。これにより、表情もわかり動きもわかる鑑賞が可能となる。
【００２９】
なお、上記で圧縮部５ｂの具体的構成は色々あるが、例として２つを示す。１つは、圧縮部としてＪＰＥＧ（Joint Photographic Coding Experts Group）圧縮部を備える例である。このときは、第１の圧縮率と第２圧縮率でＪＰＥＧ圧縮の圧縮率を変更すればよい。もう１つは、ＪＰＥＧ圧縮５ｂａとＭＰＥＧ（Motion Picture Experts Group）圧縮５ｂｂの２つの異なる圧縮部を備える例である。このときは、第１の圧縮率を適用する場合にはＪＰＥＧ圧縮５ｂａ、第２の圧縮率を適用するときはＭＰＥＧ圧縮５ｂｂをそれぞれ用いればよい。連写画像では、ＪＰＥＧ圧縮５ｂａにより圧縮される画像データよりも、ＭＰＥＧ圧縮５ｂｂにより圧縮される画像データの方が小さくなるからである。
【００３０】
以上のように、実施例１のカメラによれば、１回の撮影をするだけで、画質の良いところは静止画として鑑賞し、長く撮影した部分は動画として鑑賞するといった使い方が可能となる。従来動画を撮影するカメラでは、次のような不満があり、気楽に動画を動画を楽しむ用意が不十分であった。
１）動画は撮影したあと鑑賞するのに時間がかかる。
２）撮影した画像すべての鑑賞するのに、静止画に比べて鑑賞する機会も限られる。
３）しかし、メモリ容量を多く必要とする。
このような不満を解消するために、本発明は有効である。つまり、動画の中で重要な部分のみ選んで高画質のみで残しておくので、１）の鑑賞時間はその選択した部分のみ鑑賞するからかなり改善される。
【００３１】
また２）のように撮影画像の鑑賞機会が少ないものに対して、３）のように容量を多く必要とするのは無駄なので、本発明ではそのときの様子や表情などを折りにふれ回想するための第１ファイルと、主に動きの面白さの記録などを行うためのあまり鑑賞の機会のない第２ファイルを分けて持つようにした。これにより、鑑賞や画像保存に負担のない動画撮影用カメラを提供することができる。
【００３２】
また、第１ファイルについては静止画としても十分に鑑賞が可能な圧縮率にしておけば、サービスサイズのプリントにも耐えられるような画質が得られる。また、最近はＣＣＤやＣＭＯＳ撮像センサや画像読み出し回路の発達によって、ハイビジョン画像で３０フレーム／秒の撮影が可能となっているので、このようなデバイスを使い適度な圧縮で記録しておけば、動画撮影であっても全くプリント画質にも問題のない記録ファイル（第１ファイル）の作成も可能となる。
【実施例２】
【００３３】
次に、実施例１として、さらに大きな写真プリントを得るための高解像度画像を作成する方法を説明する。以下、図６から図８を用いて実施例２を説明する。
【００３４】
図６は、高解像度画像作成の原理を説明するための図である。図６各図はいずれも撮像素子３の画素マップの一部を模式的に示したものである。１区画が１画素に対応し、Ｐ１１、Ｐ１２、Ｐ１３等が各画素の番号を示す。まず図6（Ａ）は、撮像素子３の撮像面に結像された光像をラインＬとして斜線で示すものである。ここで、ラインＬの幅は、撮像素子３の１画素の幅Ｗよりも細い幅とする。
【００３５】
同図（Ｂ）は、このラインＬによる信号が出力される画素を斜線で示す。ｔ＝ｔ１時点での状態である。画素の幅ＷはラインＬよりも広いので、画素Ｐ１２からは、ラインＬとラインＬの周囲の画像が混じった状態の信号が出力される。画素Ｐ１２の下の画素（斜線）も同様である。当然に画素以下の細かさで、再現することはできない。
【００３６】
同図（Ｃ）は、さらに同図（Ｂ）から所定時間経過後（ｔ＝ｔ２）のラインＬによる信号が出力される画素を示す図である。ここでｔ＝ｔ１時点から、ラインＬと撮像素子３の相対位置が、ちょうど半画素分（Ｗ／２）であるずれΔＸ分、本図で右方向にずれたとする。ずれの原因は、例えば手振れや被写体のうごきによる。ΔＸの算出については後述する。（Ｂ）と同様に信号出力される画素を斜線で示す。そして、この半画素分ずれた（Ｃ）の状態でも、例えば画素Ｐ１２からはラインＬの信号が出力される。一方、画素Ｐ１１はラインＬが入射していないのでその信号が出力されない。
【００３７】
同図（Ｄ）は、上記ｔ１とｔ２時点の各画素の出力信号から作成された仮想の画素マップである。図（Ｂ）のｔ１時点と図（Ｃ）のｔ２時点の各画素の出力信号を、比較演算することで、同図（Ｄ）のような仮想の画素マップが作成できる。この図で、Ｐ１、Ｐ２、Ｐ３等は演算から算出された仮想の画素の番号である。斜線が付された画素はラインＬによる信号を出力すると考えられる画素である。この図で、例えばＰ４の画素は、計算上でラインＬの信号を受ける画素になる。
【００３８】
このような演算をすることによって、本来カメラの撮像素子が持っている画素の細かさ以上の画像を得ることができる。本例では、本来の画素幅Ｗの半分のピッチ、つまり倍の解像度の画像がえられる。特に動画像では連続的に画像を得るので、時間的に隣接する画像を利用して、ΔＸの微小変位した画像から比較的容易に、より高精度な静止画を得ることができる。また、図６では横方向のみ画像を細かくしたが同様の考え方で縦方向の高精細化処理も当然可能である。縦横を組み合わせても良い。
【００３９】
次に、図７を用いて上記ΔＸの算出を説明する。ΔＸは、２像の一致を検出する方式によって求めることできる。図７は、時分割で得られた画像信号から、ΔＸを算出する原理を説明するための図である。まず、図７（Ａ）、（Ｂ）は、撮像素子３の画素の一部分の出力パターンを示す図である。図７（Ａ）、（Ｂ）は、同じ画素で、短時間経過後の出力の変化を示している。横軸に５つの画素を並べ、縦軸にその画素から出力される信号出力の大きさを示す。ｔ＝ｔ１の各画素の出力レベルが（ａ０、ａ１…）で、ｔ＝ｔ２の各画素の出力レベルが（ｂ０、ｂ１…）である。
【００４０】
同図（Ａ）、（Ｂ）で示されるように、異なる時間の２つの出力パターンが得られると、この２つのパターンのずれ量がどれくらいかは相関演算と呼ばれる計算によって算出することができる。以下の式が、相関演算式である。
【００４１】
〔数１〕
｜ｂ３−ａ３｜＋｜ｂ２−ａ２｜＋｜ｂ１−ａ１｜＝ｆ（０）
｜ｂ３−ａ２｜＋｜ｂ２−ａ１｜＋｜ｂ１−ａ０｜＝ｆ（−１）
｜ｂ３−ａ４｜＋｜ｂ２−ａ３｜＋｜ｂ１−ａ２｜＝ｆ（＋１）
といった計算により、ｆ（ｎ）が得られる。
【００４２】
図７（Ｃ）は、このｆ（ｎ）をグラフ化した図である。そして、このグラフより、ピークの値をとるｎ値を求め、このｎ値を画素ピッチＷを用いて換算して、ずれΔＸを算出することができる。
【００４３】
図８は、ΔＸから高精細化処理の手順を説明するフローチャートである。上述したように、ΔＸを２つの画像から算出した。そこで、ユーザーが最もベストなタイミングとして選んだ画像に対し、その前後のタイミングの画像から最も適当なずれΔＸを得るようにすれば、ユーザーの希望する画像を高精細の画像にすることができる。  図８を用いて、ユーザーの希望する画像を高精細の画像にする処理手順を説明する。
【００４４】
この処理は、信号処理部５内に設けられる高精細化部５ｆによって主に実行される。なお、実施例２のカメラのブロック図は、図１のブロック図の信号処理部５内に高精細化部５ｆが追加されただけので、簡便のため省略する。
【００４５】
まず、ユーザーによって選ばれたベストタイミングの画像が選択され、この画像を選択画像とする（ステップＳ１０）。次に、選択画像とこの選択画像よりも若干前に撮影されたいくつかの画像を読み出して、それぞれ相関演算を行いΔＸを検出する（ステップＳ１１）。ΔＸは、複数算出しておく。続いて、逆に遅れて撮影された画像のΔＸを検出する（ステップＳ１２）。ここでも、ΔＸは、複数算出しておく。
【００４６】
そして、算出したΔＸの中から、全くずれていないものや逆にずれの大きいものは捨てて、０．５画素程度ずれている適当なΔＸに相当する画像を選択する（ステップＳ１３）。これで、ユーザーにより選択された画像と、選択画像に対して０．５画素ずれの画像が得られることになる。そして、図６（Ｄ）で示したように、この２つの画像を比較し、両画像の出力が一致した部分、例えば  図６（ｄ）のＰ４を残し、Ｐ３，Ｐ５のような一方しか出力のない所は、信号を押さえる等の処理を行う。画面の全画素に対して同様な処理を行うことにより、希望する画像に対して高精細化処理された画像が得られる。以上実施例２に係る発明により、希望する画像に対して高精細化処理された画像が得られる。
【実施例３】
【００４７】
図９、図１０を用いて実施例３を説明する。実施例３は、高精細化された低圧縮画像の再生及び、高圧縮画像と高精細化された低圧縮画像の両方を同時に再生する技術に関する。図９は、高精細化画像の出力動作を順番に説明するためのブロック図である。図９は、実施例３が適用されるカメラの要部ブロック図である。基本構成は図１のブロック図と同じであるので、要部のみ記載し、同一構成要件には同じ符号を付して示す。
【００４８】
信号処理部５の圧縮部５ｂには、さらに高圧縮部５ｂ−１と低圧縮部５ｂ−２が設けられる。高圧縮部５ｂ−１は、画像データを高い圧縮率で圧縮する部である。低圧縮部５ｂ−２は、逆に画像データを低い圧縮率で圧縮する部である。また、信号処理部５には高精細化部５ｆが設けられる。高精細化部５ｆは、実施例２で説明した高精細化処理を施す部である。以下の処理は、主に記録制御部１ａにより制御される。
【００４９】
図９（Ａ）は、撮影時の画像データの流れを示す図である。撮像部１９から出力された画像信号が信号処理部５に入力される。入力された画像信号は、高圧縮部５ｂ−１及び低圧縮部５ｂ−２の両方で圧縮処理される。高圧縮部５ｂ−１で圧縮処理された画像データは、第２記録部９に記録される。一方、低圧縮部５ｂ−２で圧縮処理された画像データは、第１記録部７に記録される。これにより、実施例１に比べて、再生しながらの再圧縮処理がなくなるので圧縮等の処理時間が短縮される。
【００５０】
図９（Ｂ）は選択された画像データが第１記録部７から第２記録部９に転送される流れを示す図である。撮影者から高精細化指示がされると、図８のフローチャートで説明した処理が開始される。まず、ユーザーにより画像が選択される（図８のステップＳ１０）と、その選択された画像を、第１記録部７から第２記録部９に転送させる。転送される画像は、低圧縮のまま第２記録部９に記録される。
【００５１】
図９（Ｃ）は選択された画像が第２記録部９から高精細化部５ｆを介して出力される流れを示す図である。次に、第２記録部９に転送記録された画像が、高精細化部５ｆに入力され、高精細化処理をされて、例えばプリント信号出力部１０から出力される。なお、これらはＭＰＵ１により制御される。以上により、低圧縮画像をさらに高品位化して出力するので、大画面での鑑賞や高画質でのプリントが可能になる。
【００５２】
図１０は、実施例１で説明した図５（Ｃ）のような、２つのファイルを同時に表示部８に表示する例である。図１０も、適用されるデジタルカメラの要部ブロック図である。基本構成は図９のブロック図と同じであるので、要部のみ記載し、同一構成要件には同じ符号を付して示す。信号処理部５には再生部５ｇが設けられる。再生部５ｇは、表示部８に表示する画像データに再生用の画像処理を施す部である。
【００５３】
図１ ０ （ Ａ ） のように、同時期に撮影した画像が第２記録部９の第１ファイル９ｂと第２ファイル９ｃに２つに記録されているとする。実施例１ で説明したように、第１ファイル９ｂは低圧縮（ 高画質）の画像が保存されるファイルで、第２ファイル９ｃは高圧縮（低画質）の画像が保存されるファイルである。まず、第２記録部９から第１ファイル９ｂまたは第２ファイル９ｃいずれか１ つの画像データを第１記録部７に転送する。ここでは、第２ファイル９ｃの画像データを転送する。
そして、図１０（Ｂ）に示すように、第２記録部９からは転送していない方の画像データ（ 第１ファイル９ｂ）を再生部５ｇに入力し、第１記録部７からは転送された画像データを再生部５ｇに入力する。再生部５ｇは、それぞれ入力された画像データについて表示用の再生処理をし、表示部８ に出力させる。表示部８では、この２つの画像を表示させる。表示部８には、図５（Ｃ）のような画像が表示される。これにより、動きと表示が同時に楽しめる画像再生が可能になる。このとき、第１ファイル９ｂの短時間画像は、前述の高精細化処理を施して静止画表示を行うようにしてもよい。
【００５４】
以上説明した実施例１，２、３により、以下の発明が抽出される。
１）被写体を連続して撮影する撮像部１９と、
画像データを圧縮する圧縮部５ｂと、
第１記録部７および第２記録部９として複数用意された記録部への画像データの記録を制御する記録制御部１ａを備え、
上記記録制御部１ａは、撮影された連続画像データを圧縮して上記第１記録部７に記録させ、
その後、第１記録部７に記録された連続画像データの中で選択された一部画像データｍについてはそのまま上記第２記録部９に記録させるとともに、第１記録部７に記録されたこの一部画像データを含む連続画像データについては、データ量が第１記録部でのデータ量に比べて少なくなるように圧縮して第２記録部９に記録させることを特徴とするカメラ。
【００５５】
２）１）に加えて、
圧縮された画像データを伸張する伸張部５ｃを備え、
上記記録制御部１ａは、データ量が第１記録部７でのデータ量に比べて少なくなるように圧縮をする前に、上記伸張部５ｃで当該連続画像データを伸張させることを特徴とするカメラ。
【００５６】
３）１）に加えて、
上記圧縮部５ｂは、静止画用の圧縮部５ｂａと動画用の圧縮部５ｂｂを有し、
上記記録制御部1ａは、上記撮影された連続画像データを第１記録部７に記録させる際の圧縮には、上記静止画用の圧縮部を用い、上記第１記録部７に記録された連続画像データを第２記録部９に記録させる際の圧縮には、動画用の圧縮を用いることを特徴とするカメラ。
【００５７】
４）１）に加えて、
上記記録制御部１ａは、上記第２記録部９に記録される一部画像データｍと連続画像データを異なるファイル（９ｃ、９ｂ）として記録させることを特徴とするカメラ。
【００５８】
５）１）に加えて、
時間差のある画像データから相関演算によって高精細化画像を作成する高精細化部５ｆと、
上記第２記録部に記録された一部画像データから上記高精細化部５ｆによって高精細化画像を作成して出力させる
制御部（ＭＰＵ１）とを備えることを特徴とするカメラ。
【００５９】
なお、以上の実施例１，２、３で説明したＭＰＵ１（記録制御部１ａ）と信号処理部５に関してであるが、記録制御部１ａをハードウェアで構成してもよいし、信号処理部５をソフトウェア処理しても当然良い。具体的な構成は設計事項である。
【００６０】
また、記録制御部１ａの制御機能は、第１記録部７に格納されたソフトウェアプログラムがＭＰＵ１（記録制御部１ａ）に供給され、供給されたプログラムに従って上記動作させることによって実現されるものである。従って、上記ソフトウェアのプログラム自体が記録制御部１ａの機能を実現することになり、そのプログラム自体は本発明を構成する。また、そのプログラムを格納する記録媒体も本発明を構成する。記録媒体としては、フラッシュメモリ以外でも、ＣＤ−ＲＯＭ、ＤＶＤ等の光学記録媒体、ＭＤ等の磁気記録媒体、テープ媒体、ＩＣカード等の半導体メモリー等を用いることができる。
【００６１】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６２】
【図１】本発明の実施例１に係る図１は、本発明が適用されたデジタルカメラの全体ブロック図。
【図２】実施例１において、画像記録を詳細に説明するための機能ブロック図。
【図３】実施例１において、第１記録部７から第２記録部９へ転送される画像データの流れを示す図。
【図４】実施例１において、画像データの転送が実行される撮影時の処理手順を示すフローチャート。
【図５】実施例１において、表示部８に表示される画像の例を示す図。
【図６】実施例２において、高解像度画像作成の原理を説明するための図。
【図７】実施例２において、時分割で得られた画像信号から、ΔＸを算出する原理を説明するための図。
【図８】実施例２において、ΔＸから高精細化処理の手順を説明するフローチャート。
【図９】実施例３において、高精細化画像の出力動作を順番に説明するためのブロック図。
【図１０】実施例３において、２つのファイルを同時に表示部８に表示する例を示す図。
【符号の説明】
【００６３】
１…ＭＰＵ、２…撮影レンズ、３…撮像素子、４…アナログフロントエンド、５…信号処理部、
５ａ…補助ブロック、５ｂ…圧縮部、５ｂ−１…高圧縮部、５ｂ−２…低圧縮部、５ｂａ…ＪＰＥＧ圧縮部、５ｂｂ…ＭＰＥＧ圧縮部、５ｃ…伸張部、５ｄ…切換え部、５ｆ…高精細化部、５ｇ…再生部、
６…ＲＡＭ、７…第１記録部、８…表示部、
９…第２記録部、９ａ…送信用メモリ、９ｂ…第１ファイル、９ｃ…第２ファイル、
１０…プリント信号出力部、１１…無線送信部、１２…マイク、１３…スピーカ、１４…時計部、
１５…位置検出部、１６…操作部、１９…撮像部、２０…被写体像、ΔＸ…ずれ
【図１】
0004758240.tif 000002
【図２】
0004758240.tif 000003
【図３】
0004758240.tif 000004
【図４】
0004758240.tif 000005
【図５】
0004758240.tif 000006
【図６】
0004758240.tif 000007
【図７】
0004758240.tif 000008
【図８】
0004758240.tif 000009
【図９】
0004758240.tif 000010
【図１０】
0004758240.tif 000011